(57)【要約】【課題】乗りかご内の空気の殺菌や脱臭を安全、かつ効果的に行なえるエレベーター装置を提供する。【解決手段】乗りかご８内の悪臭が所定値を超えた場合に、空気浄化制御装置２７はイオン発生装置１１と送風装置４を駆動して、乗りかご８内に正負イオンが供給され、空気の除菌と脱臭が行なわれる。これにより、乗りかご８内の空気を清潔に保つことができるとともに、乗りかご８に乗り込んだ乗客が臭気によって不快感を覚えることがなくなる。また、正負イオンは人間に無害なのでオゾンのように濃度の規制もなく、乗りかご８に乗客が居ても安心して除菌や脱臭を行なうことができ、利便性が非常に高い。【選択図】　　　図１
2004099205.tif 000002
【特許請求の範囲】
【請求項１】
乗りかごに正負イオンを放出するイオン発生装置を備えたことを特徴とするエレベーター装置。
【請求項２】
乗りかご内の臭気の強さを検出する臭気検出センサーと、乗りかご内に正負イオンを放出するイオン発生装置とを備え、前記臭気検出センサーが検出した臭気の強さが設定値より強いとき、前記イオン発生装置を駆動して正負イオンを乗りかご内に放出することを特徴とする請求項１に記載のエレベーター装置。
【請求項３】
乗りかご内に人が居るか否かを検知する人体検知センサーを備え、前記人体検知センサーが人の存在を検知したとき、前記イオン発生装置を駆動して負イオンを豊富に乗りかご内に放出することを特徴とする請求項１又は２に記載のエレベーター装置。
【請求項４】
前記人体検知センサーは、乗場呼びに対応して作動することを特徴とする請求項３に記載のエレベーター装置。
【発明の詳細な説明】
【０００１】
【発明の属する技術分野】
本発明は、空気浄化機能を備えたエレベーター装置に関するものである。
【０００２】
【従来の技術】
マンションなどで使用される公共のエレベーターは、不特定の人が使用するため、ゴミの運搬などで乗りかご内に雑菌が飛散して不衛生になりがちであり、また乗りかご内に臭気があることを知らずに乗り込んだ乗客が不快感を覚えるという問題があった。
【０００３】
例えば、特許文献１は、乗りかごに乗り込んだ乗客に悪臭による不快感を与えないエレベーター装置を開示している。このエレベーター装置は、乗りかご内の悪臭が所定値を越えたときに動作する臭気検出器を設け、また、乗りかご内にオゾンを放出する脱臭装置と、臭気検出器の動作及び乗りかごに対する乗場呼びにより作動して脱臭装置を付勢する脱臭制御装置とを設け、乗りかご内の悪臭が所定値を越えた場合に、乗場呼びを介して乗りかご内に脱臭装置によりオゾンを供給するものである。したがって、エレベーターの上場にいた乗客が臭気に満ちた乗りかごに乗り込むことがない。
【０００４】
また、特許文献２では、エレベーターの乗りかご内に搬入された搬送物にエアーを吹き付けて塵埃を飛散させる塵埃除去装置に、エアーを殺菌する殺菌灯やエアーに消臭剤を混入して臭気を除去する消臭装置を設けることが提案されている。
【０００５】
【特許文献１】
特開平１１−２２８０５７号公報　（第２−３頁、第１図）
【特許文献２】
特開平９−５２６８３号公報　（第２−３頁、第１図）
【０００６】
【発明が解決しようとする課題】
しかし、上記特許文献１に記載された発明では、オゾンは有害であるため、人体への影響を考慮して、乗りかご内のオゾン濃度を０．１ｐｐｍ以下に調整するようにしている。したがって、オゾン濃度の調整を自動で行なう制御系を別途設けなければならず、装置構成が複雑となって設備コストが上昇するだけでなく、保守点検やトラブルへの対処に追われ、脱臭装置の取り扱いが不便であった。
【０００７】
また、上記特許文献２のように殺菌灯を用いる方法では、殺菌灯の作用はその周辺を通過したエアーにしか及ばず、乗りかご内の空気全体を速やかに殺菌するほどの殺菌力はない。また、消臭剤が消耗したら交換が必要であり、ランニングコストが高くなる。
【０００８】
本発明は、上記問題に鑑みてなされたものであり、乗りかご内の空気の殺菌や脱臭を安全、かつ効果的に行なえるエレベーター装置を提供することを目的とする。
【０００９】
【課題を解決するための手段】
上記目的を達成するために本発明は、エレベーターの乗りかごにイオン発生装置を備え、このイオン発生装置から発生した正負イオンを乗りかご内に放出することにより、乗りかご内の空気を浄化する機能を備えたエレベーター装置を提案する。
【００１０】
図５は、正イオンと負イオンによる空気中に浮遊するクラドスポリウム（黒カビ）の除去試験の結果を示している。クラドスポリウムは、キノコなどの真菌に分類される微生物である。試験は、容積１３．５ｍ３の密閉容器内を温度２５℃、湿度４２％に保ち、この密閉容器内に一定数の生きたクラドスポリウムの胞子を満たした後、正イオンと負イオンを供給することにより行なった。図５のグラフはクラドスポリウムの数の変化をエアサンプラーで追跡したものである。なお、本試験のイオン送出条件としては、風量が４ｍ３／分であり、イオン送風機の吹出し口から１０ｃｍ離れた位置にて、正負イオン濃度はそれぞれ約４万個／ｃｍ３とした。また、図５の試験において対象空間の中央部において、正負イオンの濃度を測定したところ、正負イオン濃度は、それぞれ約２，０００個／ｃｍ３であった。なお、このイオンの測定条件としては、イオンカウンターの加速電圧を調整し、１ｃｍ２／Ｖ・ｓ以上の移動度を有するものを選択的に測定対象として、数値化している。
【００１１】
図５に示すように、イオンの供給により残存するクラドスポリウムの数は時間の経過に従って減少していき、供給を開始してから約４時間でクラドスポリウムをほぼ全滅させることができる。したがって、正イオンと負イオンにはクラドスポリウムに代表されるさまざまな環境で生息するカビ類、（例えば、パン酵母、赤パンカビ、青カビ、こうじカビ、水カビなど）の胞子を空中で不活化して、その繁殖を抑える作用があると考えられる。また、本効果を得るための適切なイオン発生条件は以上に限られるものではなく、菌種、希望する清浄度の条件に従って、イオン濃度は自由に変更することが可能である。
【００１２】
また図６は、正イオンと負イオンによる空気中に浮遊する大腸菌の除去試験の結果を示している。大腸菌は、微生物の中でも最も原始的なバチルスなどが属する細菌類に分類されるものである。試験は、容積３６ｍ３の密閉容器内を温度２５℃、湿度４２％に保ち、この容器内に一定数の生きた大腸菌を浮遊させた後、容器内に正イオンと負イオンを供給することにより行なった。図６に示す試験結果は、大腸菌の数の変化をエアサンプラーで追跡したものである。なお、図６の試験も、図５と同じイオン発生条件となるよう設定しており、風量が４ｍ３／分であり、イオン送風機の吹出し口から１０ｃｍ離れた位置にて、正負イオン濃度はそれぞれ４万個／ｃｍ３としている。また、図６と図５は空間の大きさが異なるため、風の方向等を若干調整することにより、図６の試験における対象空間の中央部において、正負イオン濃度は、それぞれ約２，０００個／ｃｍ３に保つように設定している。
【００１３】
図６に示すように、イオンの供給により残存する大腸菌の数は時間の経過に従って減少していき、供給を開始してから約６時間で大腸菌をほぼ全滅させることができる。したがって、正イオンと負イオンには、大腸菌に代表されるさまざまな細菌類（例えば、サルモネラ菌、病原性大腸菌Ｏ１５７など）を空中で不活化して、その増殖を抑える作用があるものと考えられる。
【００１４】
なお、図５、図６に示す試験においては、電極間に交流高電圧を印加することにより、空気中の酸素ないしは水分が電離によりエネルギーを受けてイオン化した、Ｈ＋（Ｈ２Ｏ）ｍ（ｍは任意の自然数）と、Ｏ２−（Ｈ２Ｏ）ｎ（ｎは任意の自然数）が主体のイオンを放出するようにしている。これらＨ＋（Ｈ２Ｏ）ｍ及びＯ２−（Ｈ２Ｏ）ｎは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで不活化することができる。ここで、・ＯＨは活性種の１種であり、ラジカルのＯＨを示している。
【００１５】
正負のイオンは浮遊細菌の細胞表面で式（１）〜式（３）に示すように化学反応して、活性種である過酸化水素（Ｈ２Ｏ２）または水酸基ラジカル（・ＯＨ）を生成する。ここで、式（１）〜式（３）において、ｍ、ｍ’、ｎ、ｎ’は任意の自然数である。これにより、活性種の分解作用によって浮遊細菌が破壊される。従って、効率的に空気中の浮遊細菌を、不活化、除去することができる。
Ｈ＋（Ｈ２Ｏ）ｍ＋Ｏ２−（Ｈ２Ｏ）ｎ→・ＯＨ＋１／２Ｏ２＋（ｍ＋ｎ）Ｈ２Ｏ　・・・（１）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’　→　２・ＯＨ＋Ｏ２＋（ｍ＋ｍ’＋ｎ＋ｎ’）Ｈ２Ｏ　・・・（２）
Ｈ＋（Ｈ２Ｏ）ｍ＋Ｈ＋（Ｈ２Ｏ）ｍ’＋Ｏ２−（Ｈ２Ｏ）ｎ＋Ｏ２−（Ｈ２Ｏ）ｎ’　→　Ｈ２Ｏ２＋Ｏ２＋（ｍ＋ｍ’＋ｎ＋ｎ’）Ｈ２Ｏ　・・・（３）
【００１６】
以上のメカニズムにより、上記正負イオンの放出により、浮遊菌等の不活化効果を得ることができる。
【００１７】
また、上記式（１）〜式（３）は、空気中の有害物質表面でも同様に作用を生じさせることができるため、活性種である過酸化水素（Ｈ２Ｏ２）または水酸基ラジカル（・ＯＨ）が、ホルムアルデヒドやアンモニアなどの化学物質を、酸化若しくは分解して、二酸化炭素や、水、窒素などの無害な物質に変換することにより、実質的に無害となる。
【００１８】
その他、正イオンと負イオンには、インフルエンザウィルス、コクサッキーウィルスなどのウィルス類も不活化する働きがあり、これらウィルスの混入による汚染が防止できる。
【００１９】
また、正イオンと負イオンには、臭いの元となる分子を分解する働きがあることも確かめられており、空間の脱臭にも利用できる。
【００２０】
この技術をエレベーター装置に利用すれば、乗りかご内に浮遊するカビや菌を不活化し、空気を清潔に保つことができるとともに、乗りかご内に漂う臭気を分解して脱臭を行なうことができる。
【００２１】
【発明の実施の形態】
以下に本発明の実施形態を図面を参照して説明する。図１は、エレベーター装置を概念的に示す縦断面図であり、図２は図１のＡ−Ａ線断面図である。図において、５はエレベーターの昇降路、８は昇降路５を昇降する乗りかご、４は乗りかご８に設けられた送風装置、６は昇降路５の頂部に設けられた機械室、７は機械室６に設けられたエレベーター制御盤、９は乗りかご８の天井、１０は制御盤７と乗りかご８の間に吊設された移動ケーブルである。
【００２２】
１１は天井９の上に設けられて乗りかご８内に正負イオンを放出するイオン発生装置で、高性能フィルター１２、冷却装置１３、イオン発生素子１４、送風機１５等の装置の制御部１６、イオン発生素子１４等の装置に電力を供給する電源１７及び天井９とイオン発生装置１１の間に設けられた防振ゴム１８によって構成されている。１９は天井９の一側に設けられた開口部２０に配置された送風の拡散装置で、図２に示すように、多数の拡散板２１及び拡散板２１の角度を変更する調整腕２２により構成されている。拡散装置１９には送風装置４の送風口が接続されている。
【００２３】
２３は天井９の他側に設けられた吸気口、２４は吸気口２３の口金、２５はイオン発生装置１１と吸気口２３を接続する吸気管、２６はイオン発生装置１１の送風機１５に接続されて送風装置４の吸気部に開口したイオン供給管、１は天井９に設けられた臭気検出センサー、２８は同じく天井９に設けられた人体検知センサー、２９はフロアーの壁に設けられた乗場呼びスイッチである。
【００２４】
図７は、イオン発生素子１４の模式的な透視斜視図である。箱型の本体３２の上面には矩形の開口部が形成され、この開口部に平板状の誘電体３３が設けられている。この誘電体３３の上面は本体３２の上面と一致している。本体３２の内部下方には、高圧パルス駆動回路３６が収容されている。誘電体３３の上面と下面には、板状の内部電極３４と網状の外部電極３５が対向配置されている。外部電極３５は本体３２の上面から外部に露出している。これらの内部電極３４と外部電極３５には、リード線３７を介して高圧パルス駆動回路３６が接続されている。高圧パルス駆動回路３６を駆動すると、内部電極３４と外部電極３５の間に正電圧と負電圧からなる高圧パルス電圧が印加され、プラズマ放電が起こる。これによって外部電極３５の周辺空気がイオン化され、ほぼ同数の正イオンと負イオンが発生する。
【００２５】
図３は、エレベーター装置の制御ブロック図である。機械室６内に設けられた制御盤７は、イオン発生装置１１や送風装置４の運転状態を制御するマイクロコンピューターより成る空気浄化制御装置２７を備えている。臭気検出センサー１、人体検知センサー２８、乗場呼びスイッチ２９は空気浄化制御装置２７に接続され、検出結果を空気浄化制御装置２７に出力するようになっている。さらに空気浄化制御装置２７には、乗りかご８の容積、積載限界重量などを設定する設定部４５が接続されている。空気浄化制御装置２７は、臭気検出センサー１、人体検知センサー２８、乗場呼びスイッチ２９の出力に基づいてイオン発生素子１４の高圧パルス駆動回路３６を制御するとともに、送風装置４の駆動を制御する。
【００２６】
上記のように構成されたエレベーター装置において、乗場呼びスイッチ２９を押すと、制御盤７によってエレベーターが制御されて乗りかご８が昇降路５を昇降する。また、適宜に送風装置４が駆動されて乗りかご８内の空気が吸気口２３から吸気管２５及びイオン供給管２６を経て吸入され、天井９の開口部２０から送風される。そして、空気浄化制御装置２７によって図４に示すフローチャートのようにイオン発生装置１１等が制御される。
【００２７】
すなわち、ステップ１０１において送風装置４が駆動され、乗りかご８内に送風が開始される。そして、ステップ１０２で臭気検出センサー１により乗りかご８内の臭気の強さが検出され、ステップ１０３において設定値と比較される。臭気が設定値を超えていると、ステップ１０５へ進んで除菌・脱臭モードでエレベーター装置が運転される。すなわち、イオン発生装置１１において制御部１６の動作により送風機１５が運転され、乗りかご８内の空気が吸気口２３、吸気管２５、高性能フィルター１２、冷却装置１３を経て吸入される。また、イオン発生素子１４が動作し所定量の正負イオンが発生してイオン供給管２６から拡散装置１９内に供給される。
【００２８】
そして、拡散装置１９の調整腕２２が作動し、拡散板２１により正負イオンが天井９の開口部２０から乗りかご８内に拡散されて放出される。これにより、乗りかご８内の空気の除菌と脱臭が行なわれる。なお、送風装置４は、夏場は運転、冬場は停止又はイオン発生装置１１とともに制御するなど、適宜にコントロールしてもよい。
【００２９】
そして、ステップ１０６で乗場呼びがあればステップ１０７へ進み、人体検知センサー２８で乗りかご８に乗客が乗り込んだかどうかを検知する。ステップ１０６で乗場呼びがなければステップ１０２へ戻る。
【００３０】
また、ステップ１０３において臭気が設定値以下のときは、ステップ１０４へ進んで乗場呼びがあればステップ１０７へ進み、乗場呼びがなければステップ１０２へ戻る。そして、ステップ１０８で乗りかご８に乗客が乗り込んだことを検知すると、ステップ１０９へ進み、負イオンを豊富に乗りかご８内に放出するようにリラックスモードでイオン発生装置１１と送風装置４の動作を制御する。負イオンには、人の気分をリラックスさせる作用があるため、乗客の乗り込んだ乗りかご８内に負イオンを豊富に放出することにより、乗客は快適にエレベーターを使用することができる。リラックスモードに入って一定時間経過すると、ステップ１０２へ戻り、再び乗りかご８内の臭気を検出する。
【００３１】
このようにして、乗りかご８内の悪臭が所定値を超えた場合に乗りかご８内にイオン発生装置１１などにより正負イオンが供給され、空気の除菌と脱臭が行なわれる。この場合、乗りかご８内に供給される正負イオンは拡散装置１９により拡散されて放出されるので、乗りかご８内の隅々に迅速に拡散し有効な除菌及び脱臭作用を得ることができる。したがって、乗りかご８内の空気を清潔に保つことができるとともに、乗りかご８に乗り込んだ乗客が悪臭による不快感を覚える不具合を解消できる。
【００３２】
また、臭気検出センサー１を介してイオン発生装置１１が駆動される。このため、臭気の強さが所定値未満のときに、イオン発生装置１１が動作することがなく、電力を節減することができる。また、イオン発生装置１１、送風装置４などが乗りかご８の天井９の上に設けられているので、乗りかご８の室内空間を有効に利用することができるとともに、乗りかご８内にイオン発生装置１１を設けた場合の悪戯による破損等の不具合を防止することができる。
【００３３】
また、図１に示す構成では、乗りかご８内の空気が吸気管２５を介してイオン発生装置１１を吸気口２３に接近して配置することによって吸気管２５を短縮ないし省略することが可能である。また、イオン発生素子１４から発生した正負イオンがイオン供給管２６から拡散板１９により乗りかご８内に拡散されて放出されるが、複数のイオン供給管２６を天井９の隅部に開口するように配置し、直接乗りかご８内に正負イオンを放出するように構成することも可能である。
【００３４】
また、乗りかご８内の悪臭の度合いに応じて、イオン発生量、送風量を増減することにより、供給されるイオン濃度を適宜調整することができる。また、設定部４５により、乗りかご８の積載量、エレベーターが設置された建物の用途、エレベーターの環境等の悪臭の度合いに応じて、乗りかご８内へ供給されるイオン濃度を適宜設定できるようにしてもよい。また、図１の構成において乗りかご８上に１台のイオン発生装置１１を設けたが、小型のイオン発生装置を複数台乗りかご８上に設ける装置構成であっても、同様な効果を得ることができる。
【００３５】
【発明の効果】
以上説明したように本発明によると、乗りかご内に正負イオンを放出して空気を除菌若しくは脱臭する空気浄化機能付きエレベーター装置を提供することが可能となる。これにより、乗りかご内の空気を清潔に保つことができるとともに、乗りかごに乗り込んだ乗客が臭気によって不快感を覚えることがなくなる。また、正負イオンは人間に無害なのでオゾンのように濃度の規制もなく、乗りかごに乗客が居ても安心して除菌や脱臭を行なうことができ、利便性が非常に高い。
【図面の簡単な説明】
【図１】本発明に係るエレベーター装置を示す概略的な縦断面図である。
【図２】図１のＡ−Ａ線断面拡大図である。
【図３】そのエレベーター装置の制御ブロック図である。
【図４】そのエレベーター装置の動作の一例を示すフローチャートである。
【図５】正イオンと負イオンによる空気中に浮遊するクラドスポリウム（黒カビ）の除去試験の結果を示すグラフである。
【図６】正イオンと負イオンによる空気中に浮遊する大腸菌の除去試験の結果を示すグラフである。
【図７】イオン発生素子の模式的な透視斜視図である。
【符号の説明】
１　臭気検出センサー
４　送風装置
８　乗りかご
１１　イオン発生装置
１４　イオン発生素子
１９　拡散装置
２０　開口部
２７　空気浄化制御装置
２８　人体検知センサー
２９　乗場呼びスイッチ
【図１】
2004099205.tif 000003
【図２】
2004099205.tif 000004
【図３】
2004099205.tif 000005
【図４】
2004099205.tif 000006
【図５】
2004099205.tif 000007
【図６】
2004099205.tif 000008
【図７】
2004099205.tif 000009